(57)【要約】【課題】  お遍路などの移動行程（お遍路ルートの移動状況）の情報を収集し、留守宅の端末などに配信する移動行程管理システムを提供する。【解決手段】  お遍路者２に対して、該お遍路者２を識別するための情報を記録したＩＣタグ４０を封入した御守４を発行する。また、寺院５に、御守リーダ／ライタ２０を配置する。そして、お遍路者２が寺院５を訪れた際に、お遍路者２の保持する御守４内のＩＣタグ４０の情報をリーダ／ライタ２０により読み取り、お遍路者２の通過情報として移動行程管理システムのサーバ１０１に送信し、データベース１３０に登録する。そして、お遍路御守登録センタ１００のサーバ１０１では、データベース１３０に記録されたお遍路者２の通過情報を基に、該お遍路者２の移動行程の情報を生成し、旅行者の留守宅の端末２０１に配信する。【選択図】  図２
2006072459.tif 000002
【特許請求の範囲】
【請求項１】
予め訪れることが推奨される複数の特定訪問場所とその順番が設定されており、旅行者が前記特定訪問場所を選択して移動を行なう際に、該旅行者の移動行程の情報をデータベースに記録して管理すると共に、該旅行者の移動行程の情報を通信ネットワークを介して提供する移動行程管理システムであって、
前記旅行者に対して、該旅行者を識別するための情報を記録したＩＣタグを発行するＩＣタグ発行手段と、
前記複数の特定訪問場所のいずれかまたは全部に、前記ＩＣタグのリーダ／ライタを配置する手段と、
前記旅行者が前記特定訪問場所を訪れた際に、該旅行者の保持するＩＣタグの情報を前記リーダ／ライタにより読み取り、該リーダ／ライタの識別情報と共に、旅行者の通過情報として前記移動行程管理システムのサーバに送信する旅行者通過情報送信手段と、
前記移動行程管理システムのサーバにおいて、前記旅行者通過情報送信手段により送信された旅行者の通過情報をデータベースに記録する手段と、
前記データベースに記録した旅行者の通過情報を基に、該旅行者の移動行程の情報を生成する移動行程情報生成手段と
を備えることを特徴とする移動行程管理システム。
【請求項２】
前記ＩＣタグのリーダ／ライタを、前記特定訪問場所に関連する所定の場所、および特定訪問場所間の経路に関連する所定の場所に配置する手段を
備えることを特徴とする請求項１に記載の移動行程管理システム。
【請求項３】
前記移動行程情報が、旅行者が訪問した場所と、該訪問場所の通過時刻とを地図上に表示した情報であること
を特徴とする請求項１または請求項２に記載の移動行程管理システム。
【請求項４】
前記ＩＣタグのリーダ／ライタに旅行者の撮影手段を設け、
前記旅行者が前記特定訪問場所を訪れた際に、前記撮影手段により撮影した旅行者の画像情報を、前記旅行者の通過情報と共に、前記移動行程管理システムのサーバに送信する旅行者通過情報送信手段と、
前記移動行程管理システムのサーバにおいて、前記旅行者通過情報送信手段により送信された旅行者の通過情報と画像情報とをデータベースに記録する手段と、
前記データベースに記録された旅行者の通過情報と画像情報とを基に、旅行者の訪問した場所の履歴に対応したアルバム情報を生成するアルバム編集手段と
を備えることを特徴とする請求項１から３のいずれかに記載の移動行程管理システム。
【請求項５】
前記アルバムを編集する際には、
前記特定訪問場所およびそれに関連する場所についての文字による紹介情報、または文字と画像による紹介情報が予め用意されており、該紹介情報と前記旅行者の通過情報と旅行者自身の画像情報と組みわせて、アルバム情報を生成するアルバム編集手段を
備えることを特徴とする請求項４に記載の移動行程管理システム。
【請求項６】
前記移動行程情報および前記アルバム情報を、Ｗｅｂページを介して提供するＷｅｂサーバ手段を
備えることを特徴とする請求項３から５のいずれかに記載の移動行程管理システム。
【請求項７】
前記アルバム情報をＤＶＤを含む可搬型の記録媒体に記録する記録媒体作成手段を
備えることを特徴とする請求項４または請求項５に記載の移動行程管理システム。
【請求項８】
前記旅行者の移動行程の予定情報を予め登録する移動予定情報登録手段と、
前記予定情報で指定された時間を所定時間以上経過しても、当該旅行者の通過が確認できない場合に、前記旅行者が予め指定した連絡先に自動的に連絡する移動行程異常監視手段と
を備えることを特徴とする請求項１から７のいずれかに記載の移動行程管理システム。
【請求項９】
前記特定訪問場所が、お遍路に関連する寺院であり、前記特定訪問場所に関連する場所または経路に関連する場所が、宿泊所、土産物店、その他の所定の場所であり、該関連場所に前記ＩＣタグのリーダ／ライタが配置されること
を特徴とする請求項１から８のいずれかに記載の移動行程管理システム。
【請求項１０】
前記アルバム情報が、お遍路アルバムとして編集されること
を特徴とする請求項４または請求項５に記載の移動行程管理システム。
【請求項１１】
予め訪れることが推奨される複数の特定訪問場所とその順番が設定されており、旅行者が前記特定訪問場所を選択して移動を行なう際に、該旅行者の移動行程の情報をデータベースに記録して管理すると共に、該旅行者の移動行程の情報を通信ネットワークを介して提供する移動行程管理システムにおける移動行程管理方法であって、
前記旅行者に対して、該旅行者を識別するための情報を記録したＩＣタグを発行するＩＣタグ発行手順と、
前記複数の特定訪問場所のいずれかまたは全部に、前記ＩＣタグのリーダ／ライタを配置する手順と、
前記旅行者が前記特定訪問場所を訪れた際に、該旅行者の保持するＩＣタグの情報を前記リーダ／ライタにより読み取り、該リーダ／ライタの識別情報と共に、旅行者の通過情報として前記移動行程管理システムのサーバに送信する旅行者通過情報送信手順と、
前記移動行程管理システムのサーバにおいて、前記旅行者通過情報送信手順により送信された旅行者の通過情報をデータベースに記録する手順と、
前記データベースに記録した旅行者の通過情報を基に、該旅行者の移動行程の情報を生成する移動行程情報生成手順と
を含むことを特徴とする移動行程管理方法。
【請求項１２】
前記ＩＣタグのリーダ／ライタを、前記特定訪問場所に関連する所定の場所、および特定訪問場所間の経路に関連する所定の場所に配置する手順を
含むことを特徴とする請求項１１に記載の移動行程管理方法。
【発明の詳細な説明】
【技術分野】
【０００１】
本発明は、お遍路、登山者、ハイキングなどを行なう旅行者の移動状況（移動行程）を把握し、留守宅の親族などが、旅行者の移動行程を容易に確認できると共に、該旅行者の移動行程に沿って、旅行アルバムを自動的に編集することができる、移動行程管理システム、及び移動行程管理方法に関するものである。
【背景技術】
【０００２】
近年、四国八十八ヶ所を巡るお遍路が中高年を中心にブームになっている。このお遍路は、歩くことが中心の旅となり、山中での難所や、途中での天候の急変などもあり、かなり大変な旅である。
【０００３】
また、お遍路者には高齢の参加者が多く、高齢のお遍路者は、持病を持つ人もあり、また、若い人に比べて体力が衰えており、疲れなどにより体調を崩す場合も多い。このため、留守を預かる家族にとっては、本人（お遍路者）が無事に旅をしているかどうか、またどのような旅程で旅をしているかどうかなど気がかりなことが多い。このため、本人（お遍路者）にこまめに連絡を入れるように要請し、本人からの連絡を受けて初めて安心するという状況である。一方、お遍路者は寺院など訪問日時などメモ帳などに記録し、定期的にまたは必要に応じて、留守宅に電話やメールで連絡することが多い。
【０００４】
このように、従来のお遍路では、お遍路者の居場所を知らせる策が本人以外にはなく、家族などの側からは、お遍路者の居場所が容易につかめないなどの問題がある。
【０００５】
また、お遍路者は、宿到着や時間に余裕が出来た時、お遍路中のルートの記録として、地図上に通過日時等を記載してメモとして残し、後に遍路の思い出アルバムをつくる際の材料になるようにしているが、このメモ（札所の通過時刻や、札所の由来などのメモ）を取る作業と、帰宅してからのアルバム作りの作業とは結構手間が掛かり煩わしい作業となっている。
【０００６】
なお、お遍路以外にも、近年、中高年のハイキングや山歩きがブームになっているが、これらの場合についても、事情は同じである。
【０００７】
なお、本発明に関連する先行技術として、いくつかの発明が開示されている。例えば、携帯用のデジタル機器と組み合わせた現代風のデザインをもったお守りを提供する発明が開示されている。この発明では、各種デジタル占い機能や占星術機能はもちろんのこと、デジタル警告音発生機能やＳＯＳ電波発信の為の電話機機能などをもつデジタル機器とお守り部分とを連結し、透明な収納用扉で覆うようにした発明である（例えば、特許文献１参照）。
【０００８】
また、お遍路に関連して、四国八十八ヶ所巡礼等の巡礼や全国各地の社寺参詣が、的確にして効率良くできる代行巡礼方法・代行参詣方法を提供する発明が開示されている。この発明は、社寺の巡礼・参詣をするにおいて、巡礼・参詣希望者が巡礼・参詣の社寺名と巡礼・参詣の趣旨・目的を表して成る巡礼・参詣リストを用いて、巡礼・参詣の代行実行者に依託し、しかるのち、該代行実行者が前記巡礼・参詣リストに基づいて社寺を個別に巡礼・参詣し、続いて、該実行代行者が前記依託による巡礼・参詣をしたことを示す社寺別の朱印類を朱印類台紙または朱印帳に受け、しかるのち、該代行実行者が該朱印類台紙または朱印帳を前記巡礼・参詣希望者に郵送・運送便によって送り届けする社寺の巡礼・参詣方法である（例えば、特許文献２参照）。
【０００９】
しかしながら、上述した２つの先行発明においては、旅行者（例えば、お遍路者）の移動行程（移動状況）の確認を容易に行なえるようするものではなく、また、思い出アルバムなどの編集を容易にするための発明ではなく、本発明とは、その目的と利用の仕方が異なるものである。
【特許文献１】特開平１１−９４３１号公報
【特許文献２】特開２００２−１３６４１９号公報
【発明の開示】
【発明が解決しようとする課題】
【００１０】
本発明はこのような問題を解決するためになされたもので、その目的は、旅行者の特定地点（例えば、社寺や宿泊所）における通過日時などの移動行程を留守宅などで容易に知ることができ、また、旅行中の思い出アルバムなどの編集作業を自動で行なうことができる、移動行程管理システム、および、移動行程管理方法を提供することにある。
【課題を解決するための手段】
【００１１】
本発明はかかる課題を解決するものであり、請求項１の発明は、予め訪れることが推奨される複数の特定訪問場所とその順番が設定されており、旅行者が前記特定訪問場所を選択して移動を行なう際に、該旅行者の移動行程の情報をデータベースに記録して管理すると共に、該旅行者の移動行程の情報を通信ネットワークを介して提供する移動行程管理システムであって、前記旅行者に対して、該旅行者を識別するための情報を記録したＩＣタグを発行するＩＣタグ発行手段と、前記複数の特定訪問場所のいずれかまたは全部に、前記ＩＣタグのリーダ／ライタを配置する手段と、前記旅行者が前記特定訪問場所を訪れた際に、該旅行者の保持するＩＣタグの情報を前記リーダ／ライタにより読み取り、該リーダ／ライタの識別情報と共に、旅行者の通過情報として前記移動行程管理システムのサーバに送信する旅行者通過情報送信手段と、前記移動行程管理システムのサーバにおいて、前記旅行者通過情報送信手段により送信された旅行者の通過情報をデータベースに記録する手段と、前記データベースに記録した旅行者の通過情報を基に、該旅行者の移動行程の情報を生成する移動行程情報生成手段とを備えることを特徴とする移動行程管理システムとしたものである。
【００１２】
本発明の請求項２の発明は、前記ＩＣタグのリーダ／ライタを、前記特定訪問場所に関連する所定の場所、および特定訪問場所間の経路に関連する所定の場所に配置する手段を備えることを特徴とする請求項１に記載の移動行程管理システムとしたものである。
【００１３】
本発明の請求項３の発明は、前記移動行程情報が、旅行者が訪問した場所と、該訪問場所の通過時刻とを地図上に表示した情報であることを特徴とする請求項１または請求項２に記載の移動行程管理システムとしたものである。
【００１４】
本発明の請求項４の発明は、前記ＩＣタグのリーダ／ライタに旅行者の撮影手段を設け、前記旅行者が前記特定訪問場所を訪れた際に、前記撮影手段により撮影した旅行者の画像情報を、前記旅行者の通過情報と共に、前記移動行程管理システムのサーバに送信する旅行者通過情報送信手段と、前記移動行程管理システムのサーバにおいて、前記旅行者通過情報送信手段により送信された旅行者の通過情報と画像情報とをデータベースに記録する手段と、前記データベースに記録された旅行者の通過情報と画像情報とを基に、旅行者の訪問した場所の履歴に対応したアルバム情報を生成するアルバム編集手段とを備えることを特徴とする請求項１から３のいずれかに記載の移動行程管理システムとしたものである。
【００１５】
本発明の請求項５の発明は、前記アルバムを編集する際には、前記特定訪問場所およびそれに関連する場所についての文字による紹介情報、または文字と画像による紹介情報が予め用意されており、該紹介情報と前記旅行者の通過情報と旅行者自身の画像情報と組みわせて、アルバム情報を生成するアルバム編集手段を備えることを特徴とする請求項４に記載の移動行程管理システムとしたものである。
【００１６】
本発明の請求項６の発明は、前記移動行程情報および前記アルバム情報を、Ｗｅｂページを介して提供するＷｅｂサーバ手段を備えることを特徴とする請求項３から５のいずれかに記載の移動行程管理システムとしたものである。
【００１７】
本発明の請求項７の発明は、前記アルバム情報をＤＶＤを含む可搬型の記録媒体に記録する記録媒体作成手段を備えることを特徴とする請求項４または請求項５に記載の移動行程管理システムとしたものである。
【００１８】
本発明の請求項８の発明は、前記旅行者の移動行程の予定情報を予め登録する移動予定情報登録手段と、前記予定情報で指定された時間を所定時間以上経過しても、当該旅行者の通過が確認できない場合に、前記旅行者が予め指定した連絡先に自動的に連絡する移動行程異常監視手段とを備えることを特徴とする請求項１から７のいずれかに記載の移動行程管理システムとしたものである。
【００１９】
本発明の請求項９の発明は、前記特定訪問場所が、お遍路に関連する寺院であり、前記特定訪問場所に関連する場所または経路に関連する場所が、宿泊所、土産物店、その他の所定の場所であり、該関連場所に前記ＩＣタグのリーダ／ライタが配置されることを特徴とする請求項１から８のいずれかに記載の移動行程管理システムとしたものである。
【００２０】
本発明の請求項１０の発明は、前記アルバム情報が、お遍路アルバムとして編集されることを特徴とする請求項４または請求項５に記載の移動行程管理システムとしたものである。
【００２１】
本発明の請求項１１の発明は、予め訪れることが推奨される複数の特定訪問場所とその順番が設定されており、旅行者が前記特定訪問場所を選択して移動を行なう際に、該旅行者の移動行程の情報をデータベースに記録して管理すると共に、該旅行者の移動行程の情報を通信ネットワークを介して提供する移動行程管理システムにおける移動行程管理方法であって、前記旅行者に対して、該旅行者を識別するための情報を記録したＩＣタグを発行するＩＣタグ発行手順と、前記複数の特定訪問場所のいずれかまたは全部に、前記ＩＣタグのリーダ／ライタを配置する手順と、前記旅行者が前記特定訪問場所を訪れた際に、該旅行者の保持するＩＣタグの情報を前記リーダ／ライタにより読み取り、該リーダ／ライタの識別情報と共に、旅行者の通過情報として前記移動行程管理システムのサーバに送信する旅行者通過情報送信手順と、前記移動行程管理システムのサーバにおいて、前記旅行者通過情報送信手順により送信された旅行者の通過情報をデータベースに記録する手順と、前記データベースに記録した旅行者の通過情報を基に、該旅行者の移動行程の情報を生成する移動行程情報生成手順とを含むことを特徴とする移動行程管理方法としたものである。
【００２２】
本発明の請求項１２の発明は、前記ＩＣタグのリーダ／ライタを、前記特定訪問場所に関連する所定の場所、および特定訪問場所間の経路に関連する所定の場所に配置する手順を含むことを特徴とする請求項１１に記載の移動行程管理方法としたものである。
【発明の効果】
【００２３】
請求項１に記載の移動行程管理システムにおいては、旅行者に対して、該旅行者を識別するための情報を記録したＩＣタグを発行し、また、特定訪問場所に、ＩＣタグのリーダ／ライタを配置する。そして、旅行者が特定訪問場所を訪れた際に、該旅行者の保持するＩＣタグの情報をリーダ／ライタにより読み取り、旅行者の通過情報として移動行程管理システムのサーバに送信し、データベースに登録する。そして、データベースに記録された旅行者の通過情報を基に、該旅行者の移動行程の情報を生成し、旅行者の留守宅の端末に配信する。
これにより、旅行者の特定場所（例えば、お遍路の寺院）における通過日時が遠隔地（例えば、留守宅）で分かるので家族の心配が少なくなる。
【００２４】
請求項２に記載の移動行程管理システムにおいては、ＩＣタグのリーダ／ライタを、特定訪問場所に関連する所定の場所（例えば、お遍路の寺院や、宿泊所）、および特定訪問場所間の経路に関連する所定の場所（例えば、土産物店や、コンビニエンスストア）にも配置する。
これにより、旅行者の通過情報をより多く取得することができ、旅行者の移動行程（移動状況）をより細かく把握することができる。
【００２５】
請求項３に記載の移動行程管理システムにおいては、移動行程情報として、旅行者が訪問した場所と、該訪問場所の通過時刻とを地図上に表示した情報を提供する。
これにより、旅行者の移動行程（移動状況）の情報を、地図により見やすい形で提供できる。また、旅行（例えば、お遍路）の途中であっても完走であっても地図上に通過時刻を記載した情報を入手することができる
【００２６】
請求項４に記載の移動行程管理システムにおいては、ＩＣタグのリーダ／ライタに旅行者の撮影手段を設け、旅行者が特定訪問場所を訪れた際に、旅行者の画像情報を、旅行者の通過情報と共に、前記移動行程管理システムのサーバに送信する。移動行程管理システムのサーバでは、旅行者の通過情報と画像情報とをデータベースに登録する。また、データベースに記録された旅行者に通過情報と画像情報とを基に、旅行者の訪問した場所の履歴に対応したアルバム情報を生成する。
これより、旅行のアルバムを自動的に生成することができる。また、旅行（例えば、お遍路）のを途中であっても完走であっても旅行アルバムを入手することができる。
【００２７】
請求項５に記載の移動行程管理システムにおいては、アルバムを編集する際には、特定訪問場所の文字による紹介情報、または文字と画像による紹介情報をデータベース中に予め用意しておき、該紹介情報と旅行者の通過情報と旅行者自身の画像情報と組みわせて、アルバム情報を生成する。
これにより、予め用意された特定訪問場所（例えば、寺院など）の情報を利用して、内容豊かな旅行アルバムを自動的に生成することができる。
【００２８】
請求項６に記載の移動行程管理システムにおいては、移動行程情報およびアルバム情報を、Ｗｅｂページを介して提供するようにする。
これにより、ユーザ（留守宅の家族や、旅行者自身）は何時でも何処でも、簡単に移動行程情報およびアルバム情報を見ることができる。
【００２９】
請求項７に記載の移動行程管理システムにおいては、アルバム情報をＤＶＤなどの可搬型の記録媒体に記録して発行する。
これにより、ユーザ（留守宅の家族や、旅行者自身）は、ＤＶＤなどの形でアルバム情報を入手し、再生し、保存することができる。
【００３０】
請求項８に記載の移動行程管理システムにおいては、旅行者の移動行程の予定情報を予め移動行程管理システムのサーバに登録しておくことにより、サーバでは、旅行者の通過情報を監視し、到着予定時間を所定の時間以上経過した場合に、旅行者が予め指定した連絡先に自動的に連絡する。
これにより、到着予定時間をオーバーした場合、自動的に連絡先に報告されるので家族にとって安心である。
【００３１】
請求項９に記載の移動行程管理システムにおいては、特定訪問場所が、お遍路に関連する寺院であり、それに関連する場所が、宿泊所、土産物店、その他の所定の場所であり、該関連場所にＩＣタグのリーダ／ライタを配置する。
これにより、お遍路の場合に、本発明の移動行程管理システムを提供することができ、本発明の移動行程管理システムの有する効果を、お遍路者に提供することができる。
【００３２】
請求項１０に記載の移動行程管理システムにおいては、アルバムが、遍路アルバムとして編集される。
これにより、お遍路者に対して、お遍路アルバムを自動的に生成して提供することができる。
【００３３】
請求項１１に記載の移動行程管理方法においては、旅行者に対して、該旅行者を識別するための情報を記録したＩＣタグを発行し、また、特定訪問場所に、ＩＣタグのリーダ／ライタを配置する。そして、旅行者が特定訪問場所を訪れた際に、該旅行者の保持するＩＣタグの情報をリーダ／ライタにより読み取り、旅行者の通過情報として移動行程管理システムのサーバに送信し、データベースに登録する。そして、データベースに記録された旅行者の通過情報を基に、該旅行者の移動行程の情報を生成し、旅行者の留守宅の端末に配信する。
これにより、旅行者の特定場所（例えば、お遍路の寺院）における通過日時が遠隔地（例えば、留守宅）で分かるので家族の心配が少なくなる。
【００３４】
請求項１２に記載の移動行程管理方法においては、ＩＣタグのリーダ／ライタを、特定訪問場所に関連する所定の場所（例えば、お遍路の寺院や、宿泊所）、および特定訪問場所間の経路に関連する所定の場所（例えば、土産物店や、コンビニエンスストア）にも配置する。
これにより、旅行者の通過情報をより多く取得することができ、旅行者の移動行程（移動状況）をより細かく把握することができる。
【発明を実施するための最良の形態】
【００３５】
次に本発明を実施するための最良の形態について図面を参照して説明する。
【００３６】
図１は、本発明による移動行程管理システムの概要と処理の流れを示す図その１である。図１に示す例は、移動行程を管理される旅行者が、お遍路を行なう者（お遍路者）の例であり、お遍路者２が、当該お遍路者２の移動行程（お遍路ルートの巡礼の進行状況）を管理するために必要となる御守（ＩＣタグが封入された御守）を購入する手順を示すものである。
【００３７】
図１において、お遍路者２は、御守販売所３において、ＩＣ（ＲＦＩＤ）タグ（ＲＦＩＤ：Radio Frequency Identification）４０が封入された御守４の購入申し込みを行なう（ステップＳ１）。また、御守４の購入申し込みの際には、購入申込用紙に、お遍路者の個人情報として、住所、氏名、緊急連絡先、通常連絡方法（メールアドレス）、年齢、持病等の情報を記入する。また、お遍路者２が希望する場合には、遍路ルート予定情報（お遍路で巡回する予定の寺院名、宿泊所名、予定日時等）の情報を記入する。なお、購入申込書への個人情報の記入は、お遍路者自身のプライバシーの保護と、提供を希望するサービスの内容を考慮して記入する。
【００３８】
御守販売所３では、お遍路者２による御守４の購入申込を受け付け、お遍路者２の個人情報等を販売所端末３１に入力する（ステップＳ２）。また、ＩＣタグ発行機（御守発行機：ＩＣタグ発行手段）３２を使用して、御守４内のＩＣタグ４０に、御守ＩＤ（お遍路者の登録ＩＤ番号）、住所、氏名、緊急連絡先などの情報を記録し、お遍路者２に御守４を提供する（ステップＳ３）。
【００３９】
また、御守販売所３では、御守４を購入したお遍路者２の御守ＩＤおよび個人情報等を、販売所端末３１から、通信ネットワーク１を介して、お遍路御守登録センタ１００のサーバ１０１に登録する（ステップＳ４）。
【００４０】
なお、御守販売所３は、お遍路の経路となる寺院や、最寄駅の案内所や、宿泊所や、土産物屋など、何処であってもよく、御守４の発行と、お遍路御守登録センタ１００への情報登録を行なう設備を備えていればよい。
【００４１】
以上の手順により、ＩＣタグ４０が封入された御守４を購入したお遍路者２は、御守４を身に着けて、お遍路を開始することになる。
【００４２】
また、図２は、本発明による移動行程管理システムの概要と処理の流れを示す図その２であり、お遍路者２が購入して身につけた御守４の使用方法について説明するための図である。
【００４３】
図２において、寺院５には、御守リーダ／ライタ（旅行者通過情報送信手段）２０、アンテナ１２、デジタルカメラ１１が予め設置されている。お遍路者２は、お遍路先の寺院５に到着すると（ステップＳ１１）、御守リーダ／ライタ２０の設置場所に行き、御守４を御守リーダ／ライタ２０（御守Ｒ／Ｗ）にかざす。
【００４４】
そして、御守４内に封入されたＩＣタグ４０の内容を、アンテナ１２を介して、無線電波により御守リーダ／ライタ２０に読み取らせる。また、デジタルカメラ１１に自分の画像を撮影させる（ステップＳ１２）。
【００４５】
なお、デジタルカメラ１１でお遍路者２を撮影するかどうかは、ＩＣタグ４０内に撮影許可／禁止を設定するようにもできるし、お遍路者２が、その場で撮影を指示するようにしてもよい。
【００４６】
御守リーダ／ライタ２０は、御守４内のＩＣタグ４０から読み取った情報を、御守リーダ／ライタ２０自身のＩＤ（識別番号）と共に、お遍路御守登録センタ１００のサーバ１０１に送信する。また、デジタルカメラ１１で撮影した写真画像（またはビデオ画像）などの映像情報を、お遍路御守登録センタ１００のサーバ１０１に送信する（ステップＳ１３）。
【００４７】
お遍路御守登録センタ１００のサーバ１０１では、寺院５の御守リーダ／ライタ２０から受信した通過情報等を、データベース１３０に登録する（ステップＳ１４）。
【００４８】
この場合、サーバ１０１では、御守４内のＩＣタグ４０に記録された御守ＩＤ（お遍路者の登録ＩＤ番号）と、当該ＩＤを受信した受信時刻と、御守リーダ／ライタ２０の識別ＩＤと、送信されていれば映像情報とを対応付けて、記憶していく（御守ＩＤごとにデータベース１３０に記憶していく）。
【００４９】
また、サーバ１０１は、データベース１３０において、御守ＩＤに対応するお遍路者２のユーザ属性情報（住所、氏名、年齢、メールアドレスなどの個人情報）を記憶している。また御守リーダ／ライタＩＤに対応して緯度経度（座標）を記憶している。なお、お遍路者２の個人情報は、お遍路者２が御守４を購入する際に購入申込書に記入され、御守販売所３の販売所端末３１に入力されることにより、購入した御守の御守ＩＤと共に、お遍路御守登録センタ１００のサーバ１０１に通知され、データベース１３０に登録される。
【００５０】
また、サーバ１０１はＷｅｂサーバ機能処理部（図５参照）を備えており、Ｗｅｂページにより、ユーザ（お遍路者）の留守宅の家庭端末２０１からの家族などによるアクセスを受け付ける（ステップＳ１５）。図７に、Ｗｅｂページの例を示す。図７に示す例は、Ｗｅｂページ上に御守ＩＤ（またはユーザＩＤ）を入力し、また、移動行程地図情報表示、アルバム情報表示を選択できるようにした例である。
【００５１】
そして、図７に示すＷｅｂページ上で、御守ＩＤ（またはユーザＩＤ）が入力され、移動行程地図情報の表示要求が選択されると、移動行程情報生成処理部（図５参照）により、データベース１３０から当該御守ＩＤを無線信号で読み取った御守リーダ／ライタ２０の情報を参照し、これらの御守リーダ／ライタ２０の緯度経度を地図上にマークし、またそのマークに通過時刻（御守ＩＤの受信時刻）を表示した移動行程地図を生成する。
【００５２】
そして、Ｗｅｂサーバ機能処理部（図５参照）により、移動行程地図を表示するＷｅｂページを、家族が利用する家庭端末２０１へ送信する（ステップＳ１６）。図８に、移動行程地図の例を示す。なお、このとき写真画像等の映像情報も一緒に送信しても良い。また、図８に示す移動行程地図では、過去の移動経過のみを示した例であるが、次に訪問する予定の場所や予定日時を色分けして表示するようにしてもよい。
【００５３】
なお、お遍路の移動行程の確認は、Ｗｅｂページを介してアクセスする方法だけでなく、お遍路御守登録センタのサーバ１０１から家庭端末２０１に電子メールにより送信することができる。この場合、定期的か、御守ＩＤが御守リーダ／ライタ２０で読み取られた時か、または家庭端末２０１からの要求に応じて電子メールを送信する。
【００５４】
また、サーバ１０１は、お遍路者２の指示に基づいてアルバムを編集し生成するアルバム編集処理部（図５参照）を備える。例えば、図７に示すＷｅｂページにより、御守ＩＤの入力と、アルバム情報表示の要求をＷｅｂサーバ機能処理部（図５参照）が受け付けると、アルバム編集処理部（図５参照）が、御守ＩＤの受信時刻順に（つまり通過したリーダ／ライタ順に）、そこで撮った写真画像を表示する映像を作成する。そして、Ｗｅｂサーバ機能処理部（図５参照）により、その映像データをユーザに配信する（ステップＳ１７）。図９にアルバムの例を示す。なお、ＤＶＤソフト生成処理を行い、ＤＶＤメディアに映像データを焼き付けて、当該ＤＶＤメディアを郵送するようにしてもよい。
【００５５】
図９に示すアルバムの例は、お遍路者２が巡礼した寺院（札所）や宿泊所などの訪問の順番に従って、お遍路者２の画像と、通過日時、お寺や宿の紹介情報とでアルバムを編集し、映像データとして生成したものである。この場合、お寺や宿の紹介情報は予めデータベース１３０に登録し用意しておいて情報を挿入するようにできる。
【００５６】
また、お遍路者２が予め申請した「お遍路予定情報（移動予定情報）」を基に、予めアルバムの原型（お寺や宿の紹介情報を予め挿入した原型）を作成しておき、これに、お遍路者２の自画像と、訪問日時等を挿入して、アルバムを編集するようにしてもよい。
【００５７】
また、お遍路者２の画像は動画であってよく、さらに、お寺や宿泊所ごとに用意された動画に、お遍路者２の画像を挿入して動画を作成するようにしてもよい。
【００５８】
以上説明した手順により、お遍路者２の移動行程（遍路の経過）を追跡して、データベース１３０に登録し、家族などが「お遍路者２」の巡礼の様子を確認でき、また、アルバムを自動生成することができる。
【００５９】
なお、お遍路者２が途中で遍路を中断することもあり得るので、この場合は、御守リーダ／ライタ２０の設置場所などで、その旨を申請し、御守リーダ／ライタ２０からお遍路御守登録センタ１００のサーバ１０１に、「お遍路中断情報」を送信するか、またはお遍路御守登録センタ１００に直接連絡するなどして、お遍路を中断することができる。お遍路を再開する場合も同様である。
【００６０】
また、図３は、御守リーダ／ライタの設置場所の例を示す図であり、御守リーダ／ライタ（御守Ｒ／Ｗ）２０は、寺院５の他に、宿泊所６、土産物店７、遍路終点８、診療所９などや、その他の任意の場所にも設置することができる。
【００６１】
また、図４は、御守リーダ／ライタおよびＩＣタグの構成例を示す図である。図４を参照して、最初にＩＣタグ４０について説明する。
【００６２】
ＩＣタグ４０には、アンテナ４１とＩＣチップ４２とが埋め込まれ、本実施形態においては電磁波を媒体として、電力の供給と、データの交換を行う。なお、電磁波に限らず、高周波を媒体にして、電力の供給と、データの交換を行うようにしても良い。
【００６３】
また、ＩＣチップ４２内には、電源整流部４３、送受信部４４、ＣＰＵ４５、記憶部５０が設けられている。電源整流部４３は、アンテナ４１で受信した電磁波を整流してＩＣチップ４２を駆動する電力を供給する。送受信部４４は、御守リーダ／ライタ２０との間で、電磁波によるデータの送受信処理を行う処理部である。また、ＣＰＵ４５は、ＩＣチップ４２の全体を制御する。記憶部５０には、ＩＣタグ属性情報（ＩＣタグの製造メーカ、製造番号、型式などの情報）、お遍路ＩＤ情報（お遍路登録番号）、お遍路個人情報（住所、氏名、緊急連絡先などの情報）が記録されている。
【００６４】
また、御守リーダ／ライタ２０には、アンテナ１２と、デジタルカメラ１１が接続されると共に、御守リーダ／ライタ２０の内部には、制御部２１、デジタルカメラ制御部２２、無線信号送受信処理部２３、通信処理部２４が含まれる。制御部２１は、御守リーダ／ライタ２０の全体を制御する処理部であり、デジタルカメラ制御部２２は、お遍路者２をデジタルカメラ１１により撮像する処理を制御する処理部である。無線信号送受信処理部２３は、アンテナ１２を介してＩＣタグ４０とのデータの送受信を行なう処理を行う。また、通信処理部２４は、お遍路者２のＩＣタグ４０から読み取った情報と、デジタルカメラ１１で撮像した「お遍路者２」の映像情報と、御守リーダ／ライタ２０自身のＩＤ情報とを、お遍路御守登録センタのサーバ１０１に送信する処理を行う。
【００６５】
また、図５は、お遍路御守登録センタ１００のサーバ１０１の構成例を示すブロック図である。サーバ１０１は、サーバ全体を制御する制御部１０２、通信ネットワーク１とサーバ１０１と接続する通信用インタフェース１０３、及び処理プログラム部１１０を有している。
【００６６】
また、処理プログラム部１１０には、以下の処理部が含まれている。
御守ＩＤ（お遍路者登録ＩＤ）情報登録処理部１１１は、お遍路者２に発行した御守内のＩＣタグ４０に記録した御守ＩＤ（お遍路者登録ＩＤ）と、お遍路者２の個人情報とを、御守販売所の販売所端末３１から受信し、データベース１３０に登録するための処理部である。
【００６７】
移動予定情報登録処理部（移動予定情報登録手段）１１２は、お遍路者２が遍路する予定情報（移動予定情報）を、御守販売所の販売所端末３１から受信し、データベース１３０に登録するための処理部である。
【００６８】
リーダ／ライタ読取情報登録処理部１１３は、御守リーダ／ライタ２０で読み取られた御守４内のＩＣタグ４０の情報（御守ＩＤ）と、その日時を、御守リーダ／ライタ２０のＩＤ情報と共に受信し、データベース１３０に登録するための処理部である。
【００６９】
画像情報登録処理部１１４は、御守リーダ／ライタ２０のデジタルカメラ１１で撮影さ画像情報と、その日時を、御守ＩＤ及び御守リーダ／ライタ２０のＩＤ情報と共に受信し、データベース１３０に登録するための処理部である。
【００７０】
移動行程異常監視処理部（移動行程異常監視手段）１１５は、お遍路者２が御守販売所３において「お遍路予定情報（移動予定情報）」を申請し、販売所端末３１を通して、お遍路御守登録センタのサーバ１０１のデータベース１３０に「お遍路予定情報（移動予定情報）」を登録している場合に、予定日時に訪問予定場所を通過したかどうかを監視し、予定した日時から所定の時間を経過しても、該当するお遍路者の通過が確認できない場合には、緊急連絡先または関係機関に連絡する処理を行う。
【００７１】
移動行程情報生成処理部（移動行程情報生成手段）１１６は、お遍路者２の移動行程地図の情報を作成する処理を行う。図８に移動行程地図の一例を示す。
【００７２】
アルバム編集処理部（アルバム編集手段）１１７は、お遍路者２のアルバム情報を映像ソフトとして生成する処理を行う。図９に、編集されたアルバムの一例を示す。
【００７３】
Ｗｅｂサーバ機能処理部（Ｗｅｂサーバ手段）１１８は、通信ネットワーク１上にＷｅｂページを公開し、お遍路者２の留守宅の家庭端末２０１からのアクセスを受け付け、家庭端末２０１から「お遍路者２」の移動行程情報の提供要求があった場合に、お遍路者２の移動行程地図を、Ｗｅｂページを介して配信するための処理を行う。また、お遍路者２の家庭端末２０１から、アルバム情報の提供要求があった場合に、該アルバム情報を家庭端末２０１にＷｅｂページを介して配信する処理を行う。
【００７４】
ユーザアクセス受付処理部１１９は、Ｗｅｂページを介して、家庭端末２０１からのアクセスを受け付ける処理を行う。
【００７５】
ＤＶＤソフト生成処理部（記録媒体生成手段）１２０は、アルバム情報をＤＶＤなどの可搬型の記録媒体に記録して発行するための処理部である。
【００７６】
また、図６は、データベースのデータ構成例を示す図であり、データベース１３０には、御守ＩＤ（お遍路者登録ＩＤ番号）を指標として、「お遍路者の個人情報（住所、氏名、緊急連絡先、メールアドレス、年齢、持病他）」、「お遍路者の移動予定情報（巡礼予定の寺院名、宿名、予定日等）」、「遍路通過情報（お遍路者が通過した寺院名、宿名、チェックポイント名、通過時間等）」、「お遍路者を撮影した映像情報（写真画像、映像画像など）」、「お遍路者の移動行程を記録した移動行程地図情報（図８参照）」、「お遍路者の移動行程に沿って編集したアルバム編集情報（図９参照）」などが記録される。
【００７７】
また、「リーダ／ライタ設置場所情報」として、御守リーダ／ライタ２０を設置した寺院名、宿泊所名、チェックポイント名と、その位置情報（緯度、経度）が記録される。また、「お遍路地図情報」として、移動行程地図作成用の地図情報が記録される。
【００７８】
なお、図５に示す処理プログラム部１１０は専用のハードウェアにより実現されるものであってもよく、またこの処理プログラム部はメモリおよびＣＰＵ（中央処理装置）等の汎用の情報処理装置により構成され、この処理部の機能を実現するためのプログラム（図示せず）をメモリにロードして実行することによりその機能を実現させるものであってもよい。また、このサーバには、周辺機器として入力装置、表示装置等（いずれも表示せず）が接続されているものとする。ここで、入力装置としては、キーボード、マウス等の入力デバイスのことをいう。表示装置とは、ＣＲＴ（Cathode Ray Tube）や液晶表示装置等のことをいう。
【００７９】
また、処理プログラム部１１０の機能を実現するためのプログラムをコンピュータ読み取り可能な記録媒体に記録して、この記録媒体に記録されたプログラムをコンピュータシステムに読み込ませ、実行することにより本発明に必要な処理を行ってもよい。なお、ここでいう「コンピュータシステム」とは、ＯＳや周辺機器等のハードウェアを含むものとする。
【００８０】
また、サーバ１０１内の処理プログラム部１１０の機能を実現するためのプログラムをコンピュータ読み取り可能な記録媒体に記録して、この記録媒体に記録されたプログラムをコンピュータシステムに読み込ませ、実行することにより本発明に必要な処理を行ってもよい。なお、ここでいう「コンピュータシステム」とは、ＯＳや周辺機器等のハードウェアを含むものとする。
【００８１】
また、「コンピュータ読み取り可能な記録媒体」とは、フレキシブルディスク、光磁気ディスク、ＣＤ−ＲＯＭ、ＤＶＤ−ＲＯＭ等の可搬媒体、コンピュータシステムに内蔵されるハードディスク等の記憶装置のことをいう。
【００８２】
さらに「コンピュータ読み取り可能な記録媒体」とは、インターネット等のネットワークや電話回線等の通信回線を介してプログラムを送信する場合の通信線のように、短時間の間、動的にプログラムを保持するもの（伝送媒体ないしは伝送波）、その場合のサーバやクライアントとなるコンピュータシステム内部の揮発性メモリのように、一定時間プログラムを保持しているものも含むものとする。
【００８３】
また、上記プログラムは、前述した機能の一部を実現するためのものであっても良く、さらに前述した機能をコンピュータシステムにすでに記録されているプログラムとの組み合わせで実現できるもの、いわゆる差分ファイル（差分プログラム）であっても良い。
【００８４】
以上、本発明の実施の形態について説明したが、本発明の移動行程管理システムは、上述の図示例にのみ限定されるものではなく、本発明の要旨を逸脱しない範囲内において種々変更を加え得ることは勿論である。
【産業上の利用可能性】
【００８５】
本発明は、お遍路、登山者、ハイキングなどを行なう旅行者の移動行程を把握し、留守宅の親族などが、旅行者の移動状況（移動行程）を容易に確認できると共に、該旅行者の移動行程に沿って、旅行アルバムを自動的に編集することができる効果を奏するので、本発明は、移動行程管理システム、及び移動行程管理方法等に有用である。
【図面の簡単な説明】
【００８６】
【図１】本発明による移動行程管理システムの概要と処理の流れ示す図その１である。
【図２】本発明による移動行程管理システムの概要と処理の流れ示す図その２である。
【図３】御守リーダ／ライタの設置場所の例を示す図である。
【図４】御守リーダ／ライタおよびＩＣタグの構成例を示す図である。
【図５】お遍路御守登録センタのサーバの構成例を示すブロック図である。
【図６】データベースのデータ構成例を示す図である。
【図７】Ｗｅｂページ画面の例を示す図である。
【図８】移動行程地図の例を示す図である。
【図９】アルバムの例を示す図である。
【符号の説明】
【００８７】
１  通信ネットワーク
２  お遍路者
３  御守販売所
４  御守
５  寺院
６  宿泊所
７  土産物店
８  遍路終点
９  診療所
１１  デジタルカメラ
１２  アンテナ
２０  御守リーダ／ライタ
２１  制御部
２２  デジタルカメラ制御部
２３  無線信号送受信処理部
２４  通信処理部
３１  販売所端末
３２  ＩＣタグ発行機
４０  ＩＣタグ
４１  アンテナ
４２  ＩＣチップ
４３  電源整流部
４４  送受信部
５０  記憶部
１００  お遍路御守登録センタ
１０１  サーバ
１０２  制御部
１０３  通信用インタフェース
１１０  処理プログラム部
１１１  御守ＩＤ情報登録処理部
１１２  移動予定情報登録処理部
１１３  リーダ／ライタ読取情報登録処理部
１１４  画像情報登録処理部
１１５  移動行程異常監視処理部
１１６  移動行程情報生成処理部
１１７  アルバム編集処理部
１１８  Ｗｅｂサーバ機能処理部
１１９  ユーザアクセス受付処理部
１２０  ＤＶＤソフト生成処理部
１３０  データベース
２０１  家庭端末
【図１】
2006072459.tif 000003
【図２】
2006072459.tif 000004
【図３】
2006072459.tif 000005
【図４】
2006072459.tif 000006
【図５】
2006072459.tif 000007
【図６】
2006072459.tif 000008
【図７】
2006072459.tif 000009
【図８】
2006072459.tif 000010
【図９】
2006072459.tif 000011